(57)【要約】【課題】本発明は圃場から作業者がエンジン停止をし易いコンバインを提供するものである。【解決手段】走行機体の前部に植立穀稈を刈取る刈取り部を昇降自在に備えるとともに、機体の右又は左側に備えられた搭乗運転部４の前部に操縦パネル１８を配設したコンバインにおいて、操縦パネル１８の上部における乗降口３３側寄りにキースイッチ３５を配設するとともに、キースイッチ３５に対して左右方向で乗降口３３とは反対側に操向操作を司る操向操作具１９を配設してある。【選択図】図３
2010094039.tif 000002
【特許請求の範囲】
【請求項１】
走行機体の前部に植立穀稈を刈取る刈取り部を昇降自在に備えるとともに、機体の右又は左側に備えられた搭乗運転部の前部に操縦パネルを立設したコンバインにおいて、
前記操縦パネルの上部における乗降口側寄りにキースイッチを配設するとともに、前記キースイッチに対して左右方向で乗降口とは反対側に操向操作を司る操向操作具を配設してあることを特徴とするコンバイン。
【請求項２】
前記操向操作具を前記キースイッチに対して左右方向で乗降口とは反対側におけるキースイッチ寄りに配置するとともに、前記操向操作具に対して左右方向で前記キースイッチとは反対側の位置における前記操縦パネル上に、燃料や水温等の各種インジケータを備えたインストルメントパネルを配設してある請求項１記載のコンバイン。
【請求項３】
前記刈取り部における植立穀稈を分草する左右複数の分草体のうち、搭乗運転部側の端部の分草体を、前記操向操作具の前後方向一直線上の位置に配置してある請求項１または２記載のコンバイン。
【請求項４】
前記搭乗運転部に備えた運転座席の乗降口側の端部と、前記操向操作具と、搭乗運転部側の端部の前記分草体とを前後方向一直線上の位置に配置してある請求項３記載のコンバイン。
【発明の詳細な説明】
【技術分野】
【０００１】
本発明は、走行機体の前部に植立穀稈を刈取る刈取り部を昇降自在備えるとともに、運転座席の前方に立設した操縦パネルにキースイッチや操向操作具を備えたコンバインに関する。
【背景技術】
【０００２】
従来より、特許文献１や特許文献２に示されているように、走行機体の搭乗運転部に、走行機体の前部の左右一側に形成した乗降口と、該乗降口から搭乗するステップと、ステップの後部に配置した運転座席と、ステップを挟んで運転座席前方に立設した操縦パネルと、ステップの乗降口とは反対側に配設したサイドパネルとを備えたコンバインが知られている。特許文献１及び特許文献２に記載の発明では、運転座席の前方に配置された操縦パネルの右端部に操向操作を司る操向操作具（特許文献１の図２に示されている方向制御レバー１５ｂ、特許文献２の図３に示されている操向・刈取部昇降レバー４２）を配置し、操縦パネルの左右中央部にキースイッチ（特許文献１の図２に示されている符号１５ｅ、特許文献２の図３に示されている符号４６）が配置されていた。
【特許文献１】特開２００５−１７６７２４号公報
【特許文献２】特開２００７−２４４３２０号公報
【発明の開示】
【発明が解決しようとする課題】
【０００３】
上記の構成ではキースイッチが乗降口から離れた機体左右中央側に位置しているので、運転者がエンジンを掛けたまま、圃場に降りて点検などの作業をしているときに、エンジンを停止する必要が生じたときには、圃場からキースイッチに手が届き難く、エンジンを停止させるのに、その都度搭乗して操作を行わなければならず、操作し難いものであった。
【０００４】
本発明の目的は、作業者が圃場からエンジン停止を行い易いコンバインを提供することにある。
【課題を解決するための手段】
【０００５】
〔第１発明の構成〕
本第１発明は、走行機体の前部に植立穀稈を刈取る刈取り部を昇降自在に備えるとともに、機体の右又は左側に備えられた搭乗運転部の前部に操縦パネルを立設したコンバインにおいて、
操縦パネルの上部における乗降口側寄りにキースイッチを配設するとともに、キースイッチに対して左右方向で乗降口とは反対側に操向操作を司る操向操作具を配設してあることを特徴とする。
【０００６】
〔第１発明の作用〕
本第１発明によると、キースイッチを搭乗運転部における操縦パネルの乗降口側端部寄り位置の、圃場から手がとどく位置に配設してあるので、運転者が圃場に降りて点検作業などをしているときに、エンジンを停止させる必要があれば、圃場から容易にキー操作ができて、エンジンを停止することができる。
【０００７】
〔第１発明の効果〕
したがって、本第１発明によれば、穀稈の詰まり等の収穫作業における不都合を見つかった場合に、速やかにエンジン停止を行うことができ、不都合な事態を大事に至らないうちに止めることができる可能性が大となり、これによって各種装置部分の破損を少なくすることができる利点がある。
【０００８】
〔第２発明の構成〕
本第２発明は、第１発明の構成において、操向操作具をキースイッチに対して左右方向で乗降口とは反対側におけるキースイッチ寄りに配置するとともに、操向操作具に対して左右方向でキースイッチとは反対側の位置における操縦パネル上に、燃料や水温等の各種インジケータを備えたインストルメントパネルを配設したものである。
【０００９】
〔第２発明の作用効果〕
本第２発明によると、例えば国内のコンバインは乗降口が右側位置し、操向操作具をキースイッチ寄りに配置することで、操向操作具を右手で容易に操縦できるように配設することができるとともに、乗降口とは反対側の操作パネルの上面に広い空間を形成することができる。これによって、燃料や水温等の各種インジケータのレイアウトの行い易いインストルメントパネルを形成することができる利点がある。
【００１０】
〔第３発明の構成〕
第３発明は、第１発明または第２発明の構成おいて、刈取り部における植立穀稈を分草する左右複数の分草体のうち、搭乗運転部側の端部の分草体を、操向操作具の前後方向一直線上の位置に配置してある。
〔第４発明の構成〕
第４発明は、第３発明の構成において、搭乗運転部に備えた運転座席の乗降口側の端部と、操向操作具と、搭乗運転部側の端部の分草体とを前後方向一直線上の位置に配置してある。
【００１１】
〔第３発明及び第４発明の作用効果〕
第３発明及び第４発明によると、刈取り部の分草体のうちの搭乗運転部側の端部の分草体を操向操作具の前後方向一直線上の位置に配置してあるので、操向操作具と乗降口側の端部の分草体とが前後で重なるように見定めることで、走行機体を直進させることができる。
又、第４発明によると、運転座席の乗降口側の端部を操向操作具と乗降口側の端部の分草体とを結ぶ一直線上の位置に配置してあるので、運転者は楽に操向操作具と搭乗運転部側の端部の分草体とが重なるように見定めることができ、容易に直進走行を行うことができる。
【発明を実施するための最良の形態】
【００１２】
以下、本発明の実施の形態を、５条刈りの自脱型のコンバインを例示して説明する。
図１は、本発明の実施の形態のコンバインの側面図である。図２は、本発明の実施の形態のコンバインの平面図である。これらの図に示すように、本発明の実施の形態のコンバインは、クローラ式の走行装置１によって自走しながら稲、麦などを収穫するもので、機体フレーム２に、走行機体前部の右サイドに配置の運転座席３を備えた搭乗運転部４と、運転座席３の下方の配置した原動部５と、運転座席３の後方に配置した穀粒貯留部としての穀粒タンク６と、穀粒タンク６の横の左サイドに配置した脱穀部７とを備えるとともに、機体フレーム２に対して昇降自在に連結した刈取り部８を備えて構成されている。
【００１３】
前記走行装置１は、エンジン９の駆動力がミッションケース１０から伝達される左右の駆動スプロケット１１と、左右のトラックフレーム１２に揺動自在に支持された天秤揺動フレーム１４を介して回転自在に軸支された複数の遊転輪１３と、トラックフレーム１２の後端部に前後方向に摺動自在に軸支されたテンション輪１５とに亘ってクローラベルト１６を巻回して構成してある。
【００１４】
前記搭乗運転部４には、エンジン９を覆うエンジンボンネット１７の上側に前記運転座席３を設け、運転座席３の前方に立設した操縦パネル１８の上部に操向操作具としての操向操作レバー１９を設け、運転座席３の左側に設けたサイドパネル２０に主変速レバー２１と副変速レバー２２とを配置してある。
【００１５】
前記穀粒タンク６後方に連設された揚送筒２３の上端部には、縦軸芯Ｘ周り及び横軸芯Ｙ周りに揺動操作可能に支持されたオーガ２４を接続してある。穀粒タンク６内の穀粒は揚送筒２３を介してオーガ２４の先端から排出される。
【００１６】
前記脱穀部７は、左側部に図示しない脱穀フィードチェンを備えた扱室と、扱室よりも下位に位置する唐箕、揺動棚、一番スクリュー、二番スクリュー、排塵ファン等を備えた揺動選別室とで構成してある。
【００１７】
前記刈取り部８は、油圧シリンダ（図示せず）によって機体横軸芯Ｐ回りに上下揺動自在に軸支されたメインフレーム２７と、刈取り部８の底部において前後方向に伸びる分草杆２８と、分草杆２８の先端に取付けた分草体２９とを備えるとともに、分草体２９によって分草された植立穀稈を引起こす引起し装置３０と、引起した穀稈を刈取るバリカン型の刈取り装置３１と、刈取った穀稈を搬送する搬送装置３２とを備えている。
【００１８】
搬送穀稈は、搬送装置３２によって走行機体後方向きに搬送して脱穀装置７の脱穀フィードチェーンに供給する。脱穀フィードチェーンによって穀稈の株元側を挟持搬送し、この搬送穀稈の穂先側を扱室に供給して脱穀処理する。
【００１９】
クローラ走行装置１の左右のクローラベルト１６，１６の外端縁間の左右幅は、刈取り部８の左右端に位置する分草体２９の中心間距離よりも少し狭く、又、左右端に位置する分草体２９の中心間距離は、６条分の植付間距離よりも少し狭くしてある。具体的には、図２に示すように、右側のクローラベルト１６の右端の前方延長線上に略一致する状態で右端の分草体２９を配置し、左側のクローラベルト１６の左端の前方延長線の位置よりも左端の分草体２９の左右中心が少し外側となるように分草体２９を配置して、左右端の分草体２９，２９の中心間距離よりも左右のクローラベルト１６，１６の外端縁間の左右幅の方が狭くなるように左右端の分草体２９，２９を配設してある。
これによって、コンバインを圃場の真ん中から浸入して中割りで刈取り収穫作業を始めても未刈りの植立穀稈をクローラベルト１６，１６で踏み倒すことなく刈取り収穫作業を行うことができる。
【００２０】
前記搭乗運転部４には、前記運転座席３と、操縦パネル１８及びサイドパネル２０と、運転座席３の前部に位置し、走行機体前部の左右一側の乗降口３３から搭乗するステップ３４とを配設するとともに、操縦パネル１８の上面の操作パネル１８ａの左右中間部よりも右寄りに操向操作レバー１９を配置し、操向操作レバー１９よりも右側の操作パネル１８ａの乗降口３３側端部寄り位置にキースイッチ３５を配設し、操向操作レバー１９に対してキースイッチ３５の位置とは反対側の操作パネル１８ａ上にバッテリーや水温等の各種インジケータを備えたインストルメントパネル３６を配設してある。
【００２１】
キースイッチ３５は搭乗運転部４におけるフロントパネル１８の乗降口３３側端部寄り位置の、圃場から手がとどく位置に配設してあり、運転者が圃場に降りて点検作業などをしているときに、圃場から容易にキー操作ができるようにしてある。
【００２２】
〔別実施の形態〕
図４は、別実施の態様のコンバインを例示し、このコンバインでは、刈取り部８における植立穀稈を分草する分草体２９のうち、右端の分草体２９を操向操作レバー１９と進行方向一直線上の位置に配置してある。そして、運転座席３の搭乗運転部側の端部と操向操作レバー１９と右端の分草体２９とを前後方向一直線上となる位置に配置してある。
【００２３】
このように、運転座席３の右端部と操向操作レバー１９と右端の分草体２９とを一直線上の位置となるように配置してあるので、運転者は楽に操向操作レバー１９と分草体２９とが重なるように見定めることで、容易に直進走行を行うことができる。
【図面の簡単な説明】
【００２４】
【図１】コンバインの側面図
【図２】コンバインの平面図
【図３】搭乗運転部の平面図
【図４】搭乗運転部と刈取り部を示す機体前部の平面図
【符号の説明】
【００２５】
３        運転座席
４        搭乗運転部
８        刈取り部
１８      操縦パネル
１９      操向操作具
２９      分草体
３３      乗降口
３５      キースイッチ
３６      インストルメントパネル
【図１】
2010094039.tif 000003
【図２】
2010094039.tif 000004
【図３】
2010094039.tif 000005
【図４】
2010094039.tif 000006